(57)【要約】【課題】簡単な構成により本体部を支柱部から取り外した際の本体部の転倒を防止して本体部の取り外し作業性を向上させることができる電気掃除機を提供することを課題とする。【解決手段】集塵部１及び電動送風機を有する本体部２と、下方に床用吸込具４を有し、本体部２を立てた状態で着脱可能に形成された支柱部３と、本体部２を支柱部３に装着する装着手段６，７とを備えた電気掃除機において、装着手段６，７を解除し本体部２を支柱部３から開放した状態で本体部２の倒れを防止する倒れ防止手段を備えている。【選択図】         図２
2005160658.tif 000002
【特許請求の範囲】
【請求項１】
集塵部及び電動送風機を有する本体部と、下方に床用吸込具を有し、本体部を立てた状態で着脱可能に形成された支柱部と、本体部を支柱部に装着する装着手段とを備えた電気掃除機において、前記装着手段を解除し本体部を支柱部から開放した状態で本体部の倒れを防止する倒れ防止手段を備えていることを特徴とする電気掃除機。
【請求項２】
前記倒れ防止手段は、支柱部の下方位置に形成され、本体部を回動自在に支持する支持部と、支柱部の前方位置において、支持部を回動中心として前方へ回動する本体部に当接する床用吸込具とから構成され、床用吸込具の本体部との当接部は略水平状態に形成されていることを特徴とする請求項１記載の電気掃除機。
【請求項３】
前記本体部の床用吸込具との当接部は弧状に形成されていることを特徴とする請求項２記載の電気掃除機。
【請求項４】
前記倒れ防止手段は、支柱部の下方位置に形成され、本体部を回動自在に支持する支持部と、支柱部の前方位置において、支持部を回動中心として前方へ回動する本体部に当接する床用吸込具とから構成され、床用吸込具の本体部との当接部は支柱部側へ向かって下方へ傾斜する傾斜面に形成されていることを特徴とする請求項１記載の電気掃除機。
【請求項５】
前記倒れ防止手段は、支柱部の下方位置に形成され、本体部を回動自在に支持する支持部と、支柱部の前方位置において、支持部を回動中心として前方へ回動する本体部に当接する床用吸込具とから構成され、床用吸込具の本体部との当接部は略平面に形成されていると共に、本体部の床用吸込具との当接部も略平面に形成されていることを特徴とする請求項１記載の電気掃除機。
【請求項６】
前記倒れ防止手段は、支柱部の下方位置に形成され、本体部を回動自在に支持する支持部と、支柱部の前方位置において、支持部を回動中心として前方へ回動する本体部に当接する床用吸込具とから構成され、本体部の床用吸込具との当接部に係合手段が形成されていると共に、床用吸込具の本体部との当接部に係合手段が係合する被係合手段が形成されていることを特徴とする請求項１記載の電気掃除機。
【請求項７】
前記倒れ防止手段は、支柱部の下方位置に形成され、本体部を回動自在に支持する支持部と、支持部より下方位置において支持部を回動中心として後方へ回動する本体部に当接する支柱部とから構成されていることを特徴とする請求項１記載の電気掃除機。
【請求項８】
前記本体部は、支柱部に形成された支持部と支持部に回動自在に係合する本体部に形成された被支持部との間に間隔を保持した状態で装着手段により支柱部に装着されていることを特徴とする請求項２乃至請求項７の何れか１項に記載の電気掃除機。
【請求項９】
集塵部及び電動送風機を有する本体部と、下方に床用吸込具を有し、本体部を立てた状態で着脱可能に形成された支柱部と、本体部を支柱部に装着する装着手段とを備えた電気掃除機において、前記本体部の上部に取っ手を形成し、取っ手の把持部に操作レバーを配設すると共に、取っ手近傍の取っ手の把持部の延長上に操作スイッチを配設し、取っ手を把持して操作レバーを操作すると共に操作スイッチを操作することにより前記装着手段は解除されることを特徴とする電気掃除機。
【発明の詳細な説明】
【技術分野】
【０００１】
本発明は、電気掃除機に関し、特に、本体部と支柱部とを着脱自在に分離することができる電気掃除機に関する。
【背景技術】
【０００２】
従来、本体部を支柱部から着脱自在に分離することができる電気掃除機は、本体部を支柱部に装着した場合には、支柱部の吸込口から塵埃を吸込むアップライト型の電気掃除機として使用され、本体部を支柱部から取り外して本体部単独にした場合は、本体部の吸込口から塵埃を吸込むハンディ型の電気掃除機として使用されるものが知られている。
【０００３】
そして、アップライト型の電気掃除機として使用する場合は、支柱部の下方位置において支柱部に形成された凸部と本体部に形成された凹部とを係合させると共に、支柱部の上方位置において支柱部に形成されたクランプフックと本体部に形成された凹部とを係合させることにより本体部を支柱部に装着している。また、本体部を支柱部から取り外す場合にはクランプフックと凹部との係合を解除するようになっている（例えば、特許文献１参照）。
【特許文献１】特開平１１−９５１０号公報
【発明の開示】
【発明が解決しようとする課題】
【０００４】
本体部を支柱部に装着した状態から本体部を取り外す場合に、クランプフックと凹部との係合を解除した際、本体部は支柱の凸部に係合している凹部を回動中心として支柱の前方へ回動し吸込口に当接する。
【０００５】
しかしながら、前方へ回動する本体部が当接する吸込口の当接面は、前方へ傾斜した曲面になっているため、前方へ回動する本体部が吸込口に当接しても、本体部は吸込口で支持されることなく前方へ倒れてしまう虞がある。そのために、本体部の支柱からの取り外し操作を行う際に一方の手でクランプフックと凹部との係合を解除すると共に、他方の手で本体部が倒れないように支える必要があり、本体部の取り外し作業性が悪くなる欠点がある。
【０００６】
本発明は、このような課題を解決するためになされたものであり、簡単な構成により本体部を支柱部から取り外した際の本体部の転倒を防止して本体部の取り外し作業性を向上させることができる電気掃除機を提供することを課題とする。
【課題を解決するための手段】
【０００７】
上記課題を解決するための第１の手段は、集塵部及び電動送風機を有する本体部と、下方に床用吸込具を有し、本体部を立てた状態で着脱可能に形成された支柱部と、本体部を支柱部に装着する装着手段とを備えた電気掃除機において、前記装着手段を解除し本体部を支柱部から開放した状態で本体部の倒れを防止する倒れ防止手段を備えていることを特徴とする。
【０００８】
上記課題を解決するための第１の手段において、前記倒れ防止手段は、支柱部の下方位置に形成され、本体部を回動自在に支持する支持部と、支柱部の前方位置において、支持部を回動中心として前方へ回動する本体部に当接する床用吸込具とから構成され、床用吸込具の本体部との当接部は略水平状態に形成されてもよい。
【０００９】
また、前記本体部の床用吸込具との当接部は弧状に形成されてもよい。
【００１０】
また、前記倒れ防止手段は、支柱部の下方位置に形成され、本体部を回動自在に支持する支持部と、支柱部の前方位置において、支持部を回動中心として前方へ回動する本体部に当接する床用吸込具とから構成され、床用吸込具の本体部との当接部は支柱部側へ向かって下方へ傾斜する傾斜面に形成されてもよい。
【００１１】
また、前記倒れ防止手段は、支柱部の下方位置に形成され、本体部を回動自在に支持する支持部と、支柱部の前方位置において、支持部を回動中心として前方へ回動する本体部に当接する床用吸込具とから構成され、床用吸込具の本体部との当接部は略平面に形成されていると共に、本体部の床用吸込具との当接部も略平面に形成されてもよい。
【００１２】
また、前記倒れ防止手段は、支柱部の下方位置に形成され、本体部を回動自在に支持する支持部と、支柱部の前方位置において、支持部を回動中心として前方へ回動する本体部に当接する床用吸込具とから構成され、本体部の床用吸込具との当接部に係合手段が形成されていると共に、床用吸込具の本体部との当接部に係合手段が係合する被係合手段が形成されてもよい。
【００１３】
また、前記倒れ防止手段は、支柱部の下方位置に形成され、本体部を回動自在に支持する支持部と、支持部より下方位置において支持部を回動中心として後方へ回動する本体部に当接する支柱部とから構成されてもよい。
【００１４】
また、前記本体部は、支柱部に形成された支持部と支持部に回動自在に係合する本体部に形成された被支持部との間に間隔を保持した状態で装着手段により支柱部に装着されてもよい。
【００１５】
上記課題を解決するための第２の手段は、集塵部及び電動送風機を有する本体部と、下方に床用吸込具を有し、本体部を立てた状態で着脱可能に形成された支柱部と、本体部を支柱部に装着する装着手段とを備えた電気掃除機において、前記本体部の上部に取っ手を形成し、取っ手の把持部に操作レバーを配設すると共に、取っ手近傍の取っ手の把持部の延長上に操作スイッチを配設し、取っ手を把持して操作レバーを操作すると共に操作スイッチを操作することにより前記装着手段は解除されることを特徴とする。
【発明の効果】
【００１６】
本発明の請求項１の構成によれば、本体部の支柱部からの取外し操作を行う際に本体部が倒れないように両手で操作する必要がなく、本体部の取外し作業性を向上させることができる等の効果を奏する。
【００１７】
本発明の請求項２の構成によれば、床用吸込具側の当接部は略水平状態になっており、本体部２は前方へ回動して転倒することなく、床用吸込具側の当接部に当接して転倒が防止されるため、本体部の支柱部からの取外し操作を行う際に本体部が倒れないように両手で操作する必要がなく、簡単な構成により本体部の取外し作業性を向上させることができる等の効果を奏する。
【００１８】
本発明の請求項３の構成によれば、本体部側の当接部が弧状に形成されているため、床用吸込具側の当接部が傷付く度合いを低減させることができ、床用吸込具の外観を損なうことを抑制することができる等の効果を奏する。
【００１９】
本発明の請求項４の構成によれば、支柱部側へ向かって下方へ傾斜する床用吸込具によって本体部が支柱部側へ倒れる力が作用するため、本体部が支柱部と反対側へ倒れてしま
う虞をより軽減させることができる等の効果を奏する。
【００２０】
本発明の請求項５の構成によれば、互いに平面に形成されている床用吸込具側の当接部と本体部側の当接部とが当接して、本体部は前方へ回動して転倒することなく、床用吸込具側の当接部に当接して転倒が防止されるため、本体部の支柱部からの取外し操作を行う際に本体部が倒れないように両手で操作する必要がなく、簡単な構成により本体部の取外し作業性を向上させることができる等の効果を奏する。
【００２１】
本発明の請求項６の構成によれば、本体部と床用吸込具とは係合し、本体部は前方へ回動して転倒することなく、床用吸込具側の当接部に当接して転倒が確実に防止されるため、本体部の支柱部からの取外し操作を行う際に本体部が倒れないように両手で操作する必要がなく、簡単な構成により本体部の取外し作業性を向上させることができる等の効果を奏する。
【００２２】
本発明の請求項７の構成によれば、本体部の支柱部からの取外し操作を行う際に本体部が倒れないように両手で操作する必要がなく、簡単な構成により本体部の取外し作業性を向上させることができる。また、本体部は床用吸込具に当接しないため、床用吸込具に傷が付くことを確実に防止することができる等の効果を奏する。
【００２３】
本発明の請求項８の構成によれば、本体部が支持部上に落ちた際の衝撃により本体部が前方へ回動する勢いが衰えるため、本体部が倒れることを確実に防止することができると共に、床用吸込具に傷が付くことを抑制することができる等の効果を奏する。
【００２４】
本発明の請求項９の構成によれば、本体部を支柱部から取外す際には、本体部の取っ手は把持されているため本体部は転倒することはない。また、片手で本体部の取り外し操作を行うことができると共に、本体部の支柱部への装着解除と本体部の持ち運び操作を同時に行うことができるため、操作性を向上させることができる等の効果を奏する。
【発明を実施するための最良の形態】
【００２５】
（第１実施形態）
本発明に係る電気掃除機を実施するための最良の第１実施を図１乃至図１６に基づいて説明する。
【００２６】
第１実施形態の電気掃除機は、集塵部１及び図示しない電動送風機を備えた本体部２と、本体部２が着脱自在に装着される支柱部３とから構成されている（図１及び図２参照）。そして、図１に示すように本体部２を支柱部３に装着した状態ではアップライト型の掃除機として使用され、図２に示すように本体部２を支柱部３から取り外して本体部２を片手で持った状態や本体部２を支柱部３から完全に取り外して本体部２を単独にした状態ではハンディ型の掃除機として使用される。支柱部３の下部には床用吸込具４が連結され、床用吸込具４から吸引される塵埃を含んだ空気は支柱部３を介して本体部２の集塵部１に供給されるようになっている。
【００２７】
本体部２の下部は、支柱部３に形成された略円筒状の軸５を中心として回動自在に支持され、本体部２の上部は、支柱部３に形成された上下に摺動自在なフック６が、本体部２に形成された凹部７に嵌合することにより支柱部３に装着される。フック６は本体部取外しレバー８により上下に摺動するようになっている。軸５に対して本体部２の重心は支柱部３と反対方向の本体部２の前方側に位置している（図１乃至図３参照）。図３に示すように本体部２の凹部７近傍には、本体部２に電源を供給する電源コード９を収納するための電源コード収納室１０が形成されている。
【００２８】
床用吸込具４の上面は、略中央部が最高点となる略円弧状に形成されている。そして、本体部２が軸５を回動中心として前方に回動した場合には、本体部２の床用吸込具４への本体部側当接部１１は床用吸込具４の略中央部に当接するようになっている（図２参照）。
【００２９】
支柱部３に装着されている本体部２を取り外す場合に、本体部取外しレバー８を上方にスライドさせると、凹部７とフック６との嵌合が解除されて本体部２は支柱部３の軸５を中心として前方へ回動する。前方へ回動した本体部２は床用吸込具４に当接する。床用吸込具４の本体部２との床用吸込具側当接部１２は略円弧状の頂点であるため略水平状態になっている。この結果、本体部２は前方へ回動して転倒することなく、床用吸込具側当接部１２に当接して転倒が防止されるため、本体部２の支柱部３からの取外し操作を行う際に本体部２が倒れないように両手で操作する必要がなく、簡単な構成により本体部２の取外し作業性を向上させることができる（図２参照）。
【００３０】
床用吸込具４から吸引された塵埃を含んだ空気は集塵部１により除塵され、本体部２の正面に形成された第１排気口１３を介して本体部２外へ排気される。電気掃除機の吸込仕事率を向上させるためには第１排気口１３の面積を大きくする必要があるが、第１排気口１３の面積を大きくし過ぎると外観から見えるために外観を損なう等のデザイン上の問題が生じる。
【００３１】
そこで、第１実施形態では、本体部２裏面の比較的目立ち難い所に設けられ、製品の仕様や注意事項等を表示したラベル１４を貼り付ける位置に第２排気口１５を形成すると共に、ラベル１４を布等の通気性のある材料で構成している（図４乃至図６参照）。この結果、外観を損なうことなく排気口の面積を大きくすることができ、電気掃除機の吸込仕事率を向上させることができる。
【００３２】
図７に示すように、本体部２と支柱部３とはホース１６を介して流路が連通している。本体部２を支柱部３から取り外し本体部２を片手に持って掃除を行う場合、ホース１６と支柱部３との接続が正面から見て本体部２に対して左右何れかに偏った位置に設けられていると、使用者が右利きの場合と左利きの場合とでは操作性に差が生じてしまう。そこで、第１実施形態では、本体部２の上方の略中央位置にホース１６が支柱部３に接続されるように構成することにより、使用者が本体部２を右手で持つ場合と左手で持つ場合との操作性に差が生じることを防止している。この結果、本体部２を持って操作する場合の操作性を向上させることができる。
【００３３】
集塵部１は、図８に示すように床用吸込具４から吸引された塵埃を含む空気が吸気される吸気口１７と、吸気口１７から集塵部１内に吸気された空気から塵埃を遠心分離により分離するサイクロン室１８と、サイクロン室１８により除去された塵埃が溜まる塵埃貯留室１９と、塵埃貯留室１９を開閉自在に閉塞すると共に、サイクロン室１８により塵埃が除去された空気から更に細かな塵埃を除去するフィルター室２０とから構成されている。
【００３４】
フィルター室２０は、フィルター室２０内に配設され、細かな塵埃を除去するフィルター２１と、フィルター室２０内を開閉自在に閉塞するフィルター蓋２２と、フィルター蓋２２を開ける方向に付勢するバネ２３により構成されている。フィルター室２０が塵埃貯留室１９を閉塞した状態では、塵埃貯留室１９に形成された突起２４がバネ２３の付勢力に抗してフィルター蓋２２に当接するため、フィルター室２０はフィルター蓋２２により閉塞されている（図８及び図９参照）。
【００３５】
集塵部１から塵埃を廃棄する場合には、図１０に示すように塵埃貯留室１９を開放する方向にフィルター室２０を回動させる。フィルター室２０を回動させることにより生じた
空間から塵埃を廃棄する。またこの時、バネ２３の付勢力によりフィルター蓋２２は持ち上げられるため、フィルター２１の汚れ度合いを容易に確認することができると共に、フィルター２１の交換を容易に行うことができる。
【００３６】
図１３乃至図１６は第１実施形態の変形例を示している。床用吸込具４の本体部２との床用吸込具側当接部１２ａは略水平の平面に形成されている。本体部２の床用吸込具４との本体部側当接部１１ａは弧状に形成されている。この結果、床用吸込具側当接部１２ａは略水平に形成されているため、本体部２は前方へ回動して転倒することなく、床用吸込具側当接部１２に当接して転倒が防止され、本体部２の支柱部３からの取外し操作を行う際に本体部２が倒れないように両手で操作する必要がなく、簡単な構成により本体部２の取外し作業性を向上させることができる（図１５及び図１６参照）。また、本体部側当接部１１ａが弧状に形成されているため、床用吸込具側当接部１２ａが傷付く度合いを低減させることができ、床用吸込具４の外観を損なうことを抑制することができる。
【００３７】
尚、第１実施形態では、床用吸込具側当接部１２を略水平状態に形成することにより本体部２の倒れを防止したが、床用吸込具側当接部１２を支柱部３側に向かって下方へ傾斜する傾斜面に形成してもよい。この構成により床用吸込具４によって本体部２が支柱部３側へ倒れる力が作用するため、床用吸込具側当接部１２が略水平状態の場合に比べて、本体部２が支柱部３と反対側へ倒れる虞をより軽減させることができる。
【００３８】
（第２実施形態）
図１７乃至図２７は本発明の第２実施形態を示している。尚、第１実施形態と同一部品については同一符号を付して説明を省略する。
【００３９】
本体部２が当接する床用吸込具４の床用吸込具側当接部１２ｂは平面に形成されている。床用吸込具４が当接する本体部２の本体部側当接部１１ｂも平面に形成されている（図１７乃至図１９参照）。
【００４０】
第１実施形態と同様に本体部２を支柱部３から取り外した際、互いに平面に形成されている床用吸込具側当接部１２ｂと本体部側当接部１１ｂとが当接するため、本体部２は前方へ回動して転倒することなく、床用吸込具側当接部１２に当接して転倒が防止される。この結果、本体部２の支柱部３からの取外し操作を行う際に本体部２が倒れないように両手で操作する必要がなく、簡単な構成により本体部２の取外し作業性を向上させることができる（図１８及び図１９参照）。
【００４１】
第１実施形態では、本体部２裏面の目立ち難い所に第２排気口１５を形成すると共に、第２排気口１５に貼り付けるラベル１４を布等の通気性のある材料で構成した。第２実施形態では、集塵部１の裏面に位置する本体部２に第２排気口１５ａを形成することにより、外観を損なうことなく排気口の面積を大きくすることができ、電気掃除機の吸込仕事率を向上させることができる。
【００４２】
第１実施形態では、ホース１６の支柱部３との接続が支柱部３において固定されていたが、第２実施形態では、ホース１６の支柱部３との接続部２５が正面から見て回動自在に構成されている。この構成により、使用者が本体部２を支柱部３から取り外して使用する際の操作性を向上させることができる（図２２参照）。
【００４３】
集塵部１は、フィルター蓋２２に形成された粗い塵埃を除去する第１フィルター２６と、フィルター室２０内に配設された細かい塵埃を除去する第２フィルター２７とから構成されている（図２３及び図２４参照）。この構成にした場合、第２フィルター２７の汚れ度合いを確認するためには第１フィルター２６を取り外さなければ確認することができな
かった。
【００４４】
そこで、第２実施形態では、集塵部１から塵埃を廃棄する場合に、図２７に示すように塵埃貯留室１９を開放する方向にフィルター室２０を回動させた際、バネ２３の付勢力により第１フィルター２６が形成されているフィルター蓋２２は持ち上げられるため、第２フィルター２７の汚れ度合いを容易に確認することができると共に、第２フィルター２７の交換を容易に行うことができる（図２７参照）。
【００４５】
（第３実施形態）
図２８乃至図４０は本発明の第３実施形態を示している。尚、第１実施形態及び第２実施形態と同一部品については同一符号を付して説明を省略する。
【００４６】
本体部２が当接する床用吸込具４の床用吸込具側当接部１２ｃは凹溝に形成されている。床用吸込具４が当接する本体部２の本体部側当接部１１ｃは床用吸込具側当接部１２ｃの凹溝に係合する突条に形成されている（図２８乃至図３１参照）。
【００４７】
第１実施形態と同様に本体部２を支柱部３から取り外した際、床用吸込具側当接部１２ｃと本体部側当接部１１ｃとが係合するため、本体部２は前方へ回動して転倒することなく、床用吸込具側当接部１２に当接して転倒が確実に防止される。この結果、本体部２の支柱部３からの取外し操作を行う際に本体部２が倒れないように両手で操作する必要がなく、簡単な構成により本体部２の取外し作業性を向上させることができる（図３０及び図３１参照）。
【００４８】
第１実施形態及び第２実施形態において、ホース１６の保持方法に関して明記はしていなかったが、本体部２を支柱部３に装着したアップライト型の掃除機として使用する場合に、ホース１６が掃除中に移動して本体部２や支柱部３に接触することによるホース１６の破損等を防止するために、ホース１６の一部は本体部２か支柱部３で保持されている。しかしながら、この構成では本体部２を支柱部３から取り外してハンディ型の掃除機として使用する場合、本体部２を支柱部３から取り外す操作と、ホース１６の保持を外す操作が必要となり、操作性が悪くなく問題がある。そこで、第３実施形態では、ホース１６の一部を本体部２と支柱部３とに夫々形成された保持部２８間で狭持して保持することにより、ホース１６が掃除中に移動して本体部２や支柱部３に接触することによるホース１６の破損等を防止することができると共に、本体部２を支柱部３から取り外しただけで、ホース１６の保持を解除することができるため、ハンディ型の掃除機として使用する場合の操作性を向上させることができる（図３２乃至図３４参照）。
【００４９】
集塵部１は、フィルター蓋２２に形成された粗い塵埃を除去する第１フィルター２６と、フィルター室２０内に配設された細かい塵埃を除去する第２フィルター２７とから構成されている（図３５乃至図３７参照）。この構成にした場合、第２フィルター２７の汚れ度合いを確認するためには第１フィルター２６を取り外さなければ確認することができなかった。
【００５０】
そこで、第３実施形態では、フィルター蓋２２の一部に第２フィルター２７を外側から視認することができる透明部２９を形成している。この構成とすることにより、第１フィルター２６が形成されているフィルター蓋２２を取り外すことなく、第２フィルター２７の汚れ度合いを透明部２９を介して容易に確認することができる（図３６及び図３７参照）。
【００５１】
第３実施形態の電気掃除機は、アップライト型の掃除機として使用する場合、集塵部１により塵埃が除去された空気は全て第１排気口１３あるいは図示しない第２排気口から本
体部２外に排気されるのではなく、排気の一部は本体部２の裏面に形成された排気還流孔３０から支柱部３を介して床用吸込具４まで還流させ、還流風により床用吸込具４内の床面の塵埃を効率良く巻き上げて床用吸込具４から塵埃を吸気することにより吸塵効率を向上させている。
【００５２】
しかしながら、本体部２を支柱部３から取り外してハンディ型の掃除機として使用する場合、排気還流孔３０から排気が漏れてしまい、排気還流孔３０からの排気風により不具合が生じる虞がある。
【００５３】
そこで、第３実施形態では、排気還流孔３０に排気還流孔３０を開閉自在に閉塞するフロート機構３１を形成している。フロート機構３１は排気還流孔３０に当接自在なフロート体３２と、フロート体３２を排気還流孔３０に当接させる方向に付勢するスプリング３３とから構成されている。排気還流孔３０に対応する位置の支柱部３には排気還流孔３０側へ向かって突出する突部３４が形成されている。
【００５４】
この構成により、本体部２を支柱部３に装着した状態では、図３９に示すように支柱部３の突部３４によりスプリング３３の付勢力に抗してフロート体３２をスプリング３３側へ移動させるため、排気還流孔３０が開放されて排気還流風が排気還流孔３０を介して還流する。また、本体部２を支柱部３から取り外した状態では、図４０に示すようにフロート体３２はスプリング３３の付勢力により排気還流孔３０を閉塞するため、排気還流風が排気還流孔３０を介して本体部２外に排気されることはなく、排気還流孔３０からの排気風により不具合が生じることはない。この時、排気還流風は第１排気口１３または図示しない第２排気口から排気される。
【００５５】
（第４実施形態）
図４１乃至図４５は本発明の第４実施形態を示している。尚、第１実施形態乃至第３実施形態と同一部品については同一符号を付して説明を省略する。
【００５６】
第１実施形態乃至第３実施形態では、本体部２を支柱部３から取外した状態において、軸５を中心に前方へ回動する本体部２を床用吸込具４に当接させることにより本体部２の倒れを防止した。第４実施形態では、軸５を中心に後方へ回動する軸５より下方の本体部２を支柱部３に当接させることにより本体部２の倒れを防止している。
【００５７】
本体部２を支柱部３に装着した状態において、支柱部３の軸５より下方に位置する本体部２の裏面には、支柱部３側へ向けて突出し、支柱部３に当接自在な凸部３５が水平方向にわたって形成されている（図４１及び図４２参照）。凸部３５の突出代は、軸５を中心に前方へ回動する本体部２が床用吸込具４に当接するまでに凸部３５が支柱部３に当接するように設定されている。
【００５８】
この構成により、第１実施形態と同様に本体部２を支柱部３から取り外した際、軸５を中心に前方へ回動する本体部２の底面が床用吸込具４に当接する前に、本体部２裏面の凸部３５が支柱部３に当接して本体部２が支柱部３に保持されることにより本体部２の転倒が防止される（図４２参照）。この結果、本体部２の支柱部３からの取外し操作を行う際に本体部２が倒れないように両手で操作する必要がなく、簡単な構成により本体部２の取外し作業性を向上させることができる。また、本体部２は床用吸込具４に当接しないため、床用吸込具４に傷が付くことを防止することができる。
【００５９】
第４実施形態の電気掃除機は、第３実施形態と同様に排気を床用吸込具４まで還流させる排気還流式となっている。第４実施形態では、排気還流孔３０ａを開閉自在に閉塞するシャッター３６を配設している（図４３乃至図４５参照）。シャッター３６は排気還流孔
３０に上下方向に摺動自在に配設され、図示しない重りが装着されている。シャッター３６の自重によりシャッター３６が下方へ摺動した場合には、排気還流孔３０はシャッター３６により閉塞され、シャッター３６が上方へ摺動した場合には、排気還流孔３０は開放されるようになっている。排気還流孔３０に対応する位置の支柱部３には排気還流孔３０側へ向かって突出し、シャッター３６を上方へ摺動させるためのピン３７が形成されている。ピン３７の先端の上方にはテーパー部３８が形成されている。また、ピン３７に対応する位置のシャッター３６の下方は、テーパー部３８が係合するようにテーパー状に形成されている（図４４及び図４５参照）。
【００６０】
この構成により、本体部２を支柱部３に装着した状態では、図４４に示すように支柱部３のピン３７によりシャッター３６を上方へ摺動させるため、排気還流孔３０が開放されて排気還流風が排気還流孔３０を介して還流する。また、本体部２を支柱部３から取り外した状態では、図４５に示すようにシャッター３６は自重により下方へ摺動して排気還流孔３０が閉塞するため、排気還流風が排気還流孔３０を介して本体部２外に排気されることはなく、排気還流孔３０からの排気風により不具合が生じることはない。この時、排気還流風は第１排気口１３または図示しない第２排気口から排気される。
【００６１】
（第５実施形態）
図４６乃至図５２は本発明の第５実施形態を示している。尚、第１実施形態乃至第４実施形態と同一部品については同一符号を付して説明を省略する。
【００６２】
第１実施形態乃至第４実施形態では、本体部２を支柱部３から取外した状態において、軸５を中心に回動する本体部２を床用吸込具４あるいは支柱部３に当接させることにより本体部２の倒れを防止した。第５実施形態では、本体部２を支柱部３に装着した状態において、軸５と本体部２との間に空間を持たせ、本体部２を支柱部３から取外した状態において、本体部２を軸５を中心に回動させる前に一旦、本体部２を軸５上に落下させている。
【００６３】
本体部２を支柱部３に装着した状態において、図４６及び図４７に示すように軸５と本体部２の軸当接部３９との間に空間を持たせてフック６により本体部２は支柱部３に装着されている。
【００６４】
この構成により、第１実施形態と同様に本体部取外しレバー８を上方にスライドさせると、凹部７とフック６との嵌合が解除されて、本体部２は落下して本体部２の軸当接部３９が軸５に当接する。その後、本体部２は軸５を中心として前方へ回動して、床用吸込具４に当接して本体部２の転倒が防止される（図４８及び図４９参照）。
【００６５】
この結果、本体部２の支柱部３からの取外し操作を行う際に本体部２が倒れないように両手で操作する必要がなく、簡単な構成により本体部２の取外し作業性を向上させることができる。また、本体部２は一旦、軸５上に落ちてから軸５を中心に回動するため、本体部２が軸５上に落ちた際の衝撃により本体部２が前方へ回動する勢いが衰えるため、本体部２が倒れることを確実に防止することができると共に、床用吸込具４に傷が付くことを抑制することができる。本体部２の倒れを防止する方法は、床用吸込具４に当接させる構成に限定されるものではなく、第４実施形態のように支柱部３に当接させることにより本体部２の倒れを防止してもよい。
【００６６】
第５実施形態の電気掃除機は、第３実施形態及び第４実施形態と同様に排気を床用吸込具４まで還流させる排気還流式となっている。第５実施形態では、排気還流孔３０を開閉自在に閉塞するゴム等の軟質体からなる蓋体４０を配設している。蓋体４０は排気還流孔３０の上方位置において固定され、下方は自由になっている。排気還流孔３０に対応する
位置の支柱部３には本体部２側へ向けて突出する突部３４が形成されている（図５１及び図５２）。
【００６７】
この構成により、本体部２を支柱部３に装着した状態では、図５１に示すように支柱部３の突部３４により蓋体４０は排気還流孔３０を開放する方向へ移動させるため、排気還流孔３０が開放されて排気還流風が排気還流孔３０を介して還流する。また、本体部２を支柱部３から取り外した状態では、図５２に示すように蓋体４０が有する軟質体自身の復元力と排気還流風の圧力により排気還流孔３０は蓋体４０によって閉塞するため、排気還流風が排気還流孔３０を介して本体部２外に排気されることはなく、排気還流孔３０からの排気風により不具合が生じることはない。この時、排気還流風は第１排気口１３または図示しない第２排気口から排気される。
【００６８】
（第６実施形態）
図５３乃至図５５は本発明の第６実施形態を示している。尚、第１実施形態乃至第５実施形態と同一部品については同一符号を付して説明を省略する。
【００６９】
第１実施形態乃至第５実施形態では、本体部２を支柱部３から取外した状態において、軸５を中心に回動する本体部２を床用吸込具４あるいは支柱部３に当接させることにより本体部２の倒れを防止した。第６実施形態では、本体部２を片手で持った状態でないと本体部２は支柱部３から取外せない構成になっている。
【００７０】
本体部２の上部には本体部２を持ち運びする際に把持する取っ手４１が形成されている。取っ手４１の内側には取っ手４１を把持した時に操作される操作レバー４２が配設されている。操作レバー４２の先端には支柱部３に係脱自在に係合する第１係合爪４３が形成されている。操作レバー４２を操作しない状態では第１係合爪４３は支柱部３に係合し、取っ手４１を把持して操作レバー４２を操作すると第１係合爪４３の支柱部３への係合が解除されるようになっている。取っ手４１近傍の取っ手４１の把持部の延長上には操作スイッチ４４が配設されている。
操作スイッチ４４の延長上の先端には、支柱部３に係脱自在に係合する第２係合爪４５が形成されている。操作スイッチ４４を操作しない状態では第２係合爪４５は支柱部３に係合し、操作スイッチ４４を操作すると第２係合爪４５の支柱部３への係合が解除されるようになっている（図５４及び図５５参照）。
【００７１】
この構成により、取っ手４１を把持して操作レバー４２を操作すると共に、取っ手４１を把持した状態で操作スイッチ４４を操作すると、第１係合爪４３及び第２係合爪４５の支柱部３への係合が解除されるため、本体部２を支柱部３から取外すことができる。この時、本体部２の取っ手４１は把持されているため、本体部２は転倒することはない。また、片手で本体部２の取り外し操作を行うことができると共に、本体部２の支柱部３からの係合解除と本体部２の持ち運び操作を同時に行うことができるため、操作性を向上させることができる。
【図面の簡単な説明】
【００７２】
【図１】本発明を実施するための最良の第１実施形態の電気掃除機の側面図である。
【図２】同電気掃除機の側面図で、本体部を支柱部から取外す状態を示す。
【図３】同電気掃除機の側断面図で、本体部と支柱部との係合状態を示す。
【図４】同電気掃除機の裏面図で、第２排気口を覆うラベルの位置を示す。
【図５】同電気掃除機の拡大裏面図で、第２排気口を示す。
【図６】同電気掃除機の拡大裏面図で、第２排気口を覆うラベルを示す。
【図７】同電気掃除機の側面図で、ホースの位置を示す。
【図８】同電気掃除機の集塵部の断面図である。
【図９】同電気掃除機の集塵部のフィルター室を上方から見た図である。
【図１０】同電気掃除機の集塵部の断面図で、塵埃を廃棄する状態を示す。
【図１１】同電気掃除機の集塵部を他の方向から見た側面図である。
【図１２】同電気掃除機の集塵部のバネを示す拡大断面図である。
【図１３】同電気掃除機の変形例の側面図である。
【図１４】同電気掃除機の変形例の正面図である。
【図１５】同電気掃除機の変形例の側面図で、本体部を支柱部から取外す状態を示す。
【図１６】同電気掃除機の変形例の拡大図で、本体部を支柱部との係合関係を示す。
【図１７】本発明を実施するための最良の第２実施形態の電気掃除機の側面図である。
【図１８】同電気掃除機の側面図で、本体部を支柱部から取外す状態を示す。
【図１９】同電気掃除機の拡大側面図で、本体部と支柱部との係合状態を示す。
【図２０】同電気掃除機の正面図で、集塵部を取り外した状態を示す。
【図２１】同電気掃除機の側面図で、接続部にホースが接続された状態を示す。
【図２２】同電気掃除機の正面図で、接続部の回動状態を示す。
【図２３】同電気掃除機の集塵部の断面図である。
【図２４】同電気掃除機の集塵部のフィルター室を上方から見た図である。
【図２５】同電気掃除機の集塵部を他の方向から見た側面図である。
【図２６】同電気掃除機の集塵部のバネを示す拡大断面図である。
【図２７】同電気掃除機の集塵部の断面図で、塵埃を廃棄する状態を示す。
【図２８】本発明を実施するための最良の第３実施形態の電気掃除機の側面図である。
【図２９】同電気掃除機の部分正面図である。
【図３０】同電気掃除機の側面図で、本体部を支柱部から取外す状態を示す。
【図３１】同電気掃除機の拡大側面図で、本体部と支柱部との係合状態を示す。
【図３２】同電気掃除機の側面図で、ホースを保持した状態を示す。
【図３３】同電気掃除機の拡大側面図で、ホースを保持した状態を示す。
【図３４】同電気掃除機の拡大側面図で、ホースを保持する保持部を示す。
【図３５】同電気掃除機の集塵部の断面図である。
【図３６】同電気掃除機の集塵部のフィルター室を上方から見た図である。
【図３７】同電気掃除機の集塵部のフィルター室の拡大断面図である。
【図３８】同電気掃除機の本体部の裏面図である。
【図３９】同電気掃除機の排気還流孔の拡大断面図で、本体部を支柱部に装着した状態を示す。
【図４０】同電気掃除機の排気還流孔の拡大断面図で、本体部を支柱部から取外した状態を示す。
【図４１】本発明を実施するための最良の第４実施形態の電気掃除機の側面図である。
【図４２】同電気掃除機の側面図で、本体部を支柱部から取外す状態を示す。
【図４３】同電気掃除機の本体部の裏面図である。
【図４４】同電気掃除機の排気還流孔の拡大断面図で、本体部を支柱部に装着した状態を示す。
【図４５】同電気掃除機の排気還流孔の拡大断面図で、本体部を支柱部から取外した状態を示す。
【図４６】本発明を実施するための最良の第５実施形態の電気掃除機の拡大側面図で、本体部と支柱部との関係を示す。
【図４７】同電気掃除機を他の方向から見た拡大側面図で、本体部と支柱部との関係を示す。
【図４８】同電気掃除機の側面図で、本体部を支柱部から取外す状態を示す。
【図４９】同電気掃除機の側面図で、本体部を支柱部から取外す状態を示す。
【図５０】同電気掃除機の本体部の裏面図である。
【図５１】同電気掃除機の排気還流孔の拡大断面図で、本体部を支柱部に装着した状態を示す。
【図５２】同電気掃除機の排気還流孔の拡大断面図で、本体部を支柱部から取外した状態を示す。
【図５３】本発明を実施するための最良の第６実施形態の電気掃除機の側面図である。
【図５４】同電気掃除機の取っ手の拡大側面図で、通常の状態を示す。
【図５５】同電気掃除機の取っ手の拡大側面図で、取っ手を把持すると共に、操作スイッチを操作した状態を示す。
【符号の説明】
【００７３】
１    集塵部
２    本体部
３    支持部
４    床用吸込具
５    軸
６    フック
７    凹部
８    本体部取外しレバー
１１  本体部側当接部
１２  床用吸込具側当接部
【図１】
2005160658.tif 000003
【図２】
2005160658.tif 000004
【図３】
2005160658.tif 000005
【図４】
2005160658.tif 000006
【図５】
2005160658.tif 000007
【図６】
2005160658.tif 000008
【図７】
2005160658.tif 000009
【図８】
2005160658.tif 000010
【図９】
2005160658.tif 000011
【図１０】
2005160658.tif 000012
【図１１】
2005160658.tif 000013
【図１２】
2005160658.tif 000014
【図１３】
2005160658.tif 000015
【図１４】
2005160658.tif 000016
【図１５】
2005160658.tif 000017
【図１６】
2005160658.tif 000018
【図１７】
2005160658.tif 000019
【図１８】
2005160658.tif 000020
【図１９】
2005160658.tif 000021
【図２０】
2005160658.tif 000022
【図２１】
2005160658.tif 000023
【図２２】
2005160658.tif 000024
【図２３】
2005160658.tif 000025
【図２４】
2005160658.tif 000026
【図２５】
2005160658.tif 000027
【図２６】
2005160658.tif 000028
【図２７】
2005160658.tif 000029
【図２８】
2005160658.tif 000030
【図２９】
2005160658.tif 000031
【図３０】
2005160658.tif 000032
【図３１】
2005160658.tif 000033
【図３２】
2005160658.tif 000034
【図３３】
2005160658.tif 000035
【図３４】
2005160658.tif 000036
【図３５】
2005160658.tif 000037
【図３６】
2005160658.tif 000038
【図３７】
2005160658.tif 000039
【図３８】
2005160658.tif 000040
【図３９】
2005160658.tif 000041
【図４０】
2005160658.tif 000042
【図４１】
2005160658.tif 000043
【図４２】
2005160658.tif 000044
【図４３】
2005160658.tif 000045
【図４４】
2005160658.tif 000046
【図４５】
2005160658.tif 000047
【図４６】
2005160658.tif 000048
【図４７】
2005160658.tif 000049
【図４８】
2005160658.tif 000050
【図４９】
2005160658.tif 000051
【図５０】
2005160658.tif 000052
【図５１】
2005160658.tif 000053
【図５２】
2005160658.tif 000054
【図５３】
2005160658.tif 000055
【図５４】
2005160658.tif 000056
【図５５】
2005160658.tif 000057